(57)【要約】【課題】古紙の束を一枚の板材で簡単に誰にでも結束できるようにすること。【解決手段】可撓性と弾性を有する熱可塑性樹脂製で矩形の板材（１１）の長辺（２１）と短辺（３１）のそれぞれの縁近辺で各辺のほぼ中間にそれぞれ結束紐用の着脱可能手段（４１）を備えた係止部（５１）が設けられ、そして、前記結束紐の長さ調整用の係留部（６１）が前記長辺及び短辺上にそれぞれ少なくとも一箇所以上設けられた事を特徴とする古紙結束用補助板を採用した。【選択図】図３
2006290441.tif 000002
【特許請求の範囲】
【請求項１】
矩形の板材の長辺と短辺のそれぞれの縁近辺で各辺のほぼ中間にそれぞれ結束紐用の着脱可能手段を備えた係止部が設けられた事を特徴とする古紙結束用補助板。
【請求項２】
矩形の板材の長辺と短辺のそれぞれの縁近辺で各辺のほぼ中間にそれぞれ結束紐用の着脱可能手段を備えた係止部が設けられ、そして、前記板材の少なくとも一箇所以上の角部に前記結束紐の長さ調整用の係留部が設けられた事を特徴とする古紙結束用補助板。
【請求項３】
矩形の板材の長辺と短辺のそれぞれの縁近辺で各辺のほぼ中間にそれぞれ結束紐用の着脱可能手段を備えた係止部が設けられ、そして、前記結束紐の長さ調整用の係留部が前記長辺及び短辺上にそれぞれ少なくとも一箇所以上設けられた事を特徴とする古紙結束用補助板。
【請求項４】
矩形の板材の長辺と短辺のそれぞれの縁近辺で各辺のほぼ中間にそれぞれ結束紐用の着脱可能手段を備えた係止部が設けられ、そして、前記結束紐の長さ調整用で且つ収納可能な係留用腕部が、前記板材の少なくとも一箇所以上の角部又は辺に設けられた事を特徴とする古紙結束用補助板。
【請求項５】
前記矩形の板材が可撓性と弾性を備えた熱可塑性樹脂板である事を特徴とする請求項１から４の何れか１項に記載の古紙結束用補助板。
【請求項６】
前記係止部が矩形の板材の表面から裏面に穿設された貫通孔であり、前記着脱可能手段が前記貫通孔から隣接長辺縁又は短辺縁迄に入れられた切り込みである事を特徴とする請求項１から４の何れか１項に記載の古紙結束用補助板。
【請求項７】
前記係止部が各辺の縁近辺中間部に固着されたパイプであり、前記着脱可能手段がパイプの軸線方向に設けられた切り込みである事を特徴とする請求項１から４の何れか１項に記載の古紙結束用補助板。
【請求項８】
前記係止部及び着脱可能手段が各辺の縁近辺中間部に設けられた鉤状屈曲部である事を特徴とする請求項１から４の何れか１項に記載の古紙結束用補助板。
【請求項９】
前記係止部が各辺の縁近辺中間部に設けられた突起部であり、着脱可能手段が突起部に設けられた切込みである事を特徴とする請求項１から４の何れか１項に記載の古紙結束用補助板。
【発明の詳細な説明】
【技術分野】
【０００１】
本発明は、古紙、すなわち古新聞、古雑誌等の結束を紐で簡単に行えるようにする道具に関する。
【背景技術】
【０００２】
従来、古紙に十文字に紐を掛け廻しまとめる事は公知であり、その事を利用した文献としては特許番号２６８７３０７号や、特開２００２−２６３３号などが知られている。
【特許文献１】特許２６８７３０７号
【特許文献２】特開２００２−２６３３号
【発明の開示】
【発明が解決しようとする課題】
【０００３】
しかしながら、上記特許２６８７３０７号（図示無し）に於いては、構造が複雑であり高価につき、又嵩張って置く場所に不自由した。
【０００４】
又、上記特開２００２−２６３３号の提案に於いては、図１５のように、嵩は上記場合より小さいがやはり構造が複雑である。又、現在結束用の紐の殆どの物が図１４のように丸められて販売されており紐に癖が付いている為跳ね上がったり捻れたりしてあらぬ方向に行ってしまったりして古紙を板上に載せてくくるまでに手間が掛かってしまった。
【課題を解決するための手段】
【０００５】
本発明に於いては上記課題を解決する為に、先ず、矩形の板材の長辺と短辺のそれぞれの縁近辺で各辺のほぼ中間にそれぞれ結束紐用の着脱可能手段を備えた係止部が設けられた事を特徴とする古紙結束用補助板を採用した。
【０００６】
次に、前記板材の少なくとも一箇所以上の角部に前記結束紐の長さ調整用の係留部を加えて設けた。
【０００７】
更に、矩形の板材の長辺と短辺のそれぞれの縁近辺で各辺のほぼ中間にそれぞれ結束紐用の着脱可能手段を備えた係止部が設けられ、そして、前記結束紐の長さ調整用の係留部が前記長辺及び短辺上にそれぞれ少なくとも一箇所以上設けられた事を特徴とする古紙結束用補助板を採用した。
【０００８】
又更に、矩形の板材の長辺と短辺のそれぞれの縁近辺で各辺のほぼ中間にそれぞれ結束紐用の着脱可能手段を備えた係止部が設けられ、そして、前記結束紐の長さ調整用で且つ収納可能な係留用腕部が、前記板材の少なくとも一箇所以上の角部又は辺に設けられた事を特徴とする古紙結束用補助板も採用した。
【発明の効果】
【０００９】
上記構造を採用した事により、薄い一枚の板である事により嵩張らなく壁でも冷蔵庫の側壁でも吊るしておける。そして、結束紐用の係止部の着脱可能手段部に結束紐を通す事により紐の跳ね上がりや捩れによる結束前の紐の不安定性が補正される。又、結束紐の長さ調整用の係留部を設ける事により、紐の長さが不足して後で引き出すような事も無く簡単に結べ、しかも板からは結束用の紐はワンタッチで簡単に外す事が出来る。更に古紙と結束用の紐だけを回収に出せるので無駄が無くなる。しかも構造が簡単なので、高価な金型を作らずに打ち抜き工程等で済み、非常に安価に各家庭に提供できる。
【発明を実施するための最良の形態】
【００１０】
可撓性と弾性を有する熱可塑性樹脂製で矩形の板材の長辺と短辺のそれぞれの縁近辺で各辺のほぼ中間にそれぞれ係止用貫通孔部が設けられ、着脱可能手段が前記貫通孔から隣接長辺縁又は短辺縁迄に入れられた切り込みであり、そして、前記結束紐の長さ調整用の係留部が前記長辺及び短辺上にそれぞれ少なくとも一箇所以上設けられた事を特徴とする古紙結束用補助板。
【実施例】
【００１１】
図１は本発明の実施例で請求項１に係る全体斜視図であり、熱可塑性樹脂製の矩形の板材１０の長辺２０、２０ａと短辺３０、３０ａのそれぞれの縁近辺でその中間に結束紐用の着脱手段４０、４０ａ、４０ｂ、４０ｃ、（この場合は切り込み）を備えた係止部５０、５０ａ、５０ｂ、５０ｃ（この場合は貫通孔）が設けられている。       
【００１２】
図２は本発明の実施例の請求項２に係る全体斜視図であり、この場合は、上記着脱手段を備えた係止部に、少なくとも一つの角部Ｃに結束用紐の係留部６０が設けられている。この係留部６０の形状は切り込み部、凹部、突起状物等又はそれらの組み合わせでも良く特にその形状にこだわるものではない。
【００１３】
図３は本発明の実施例で請求項３に係る全体斜視図である。好ましくは熱可塑性樹脂製で矩形の板材１１の長辺２１、２１ａと短辺３１、３１ａのそれぞれの縁近辺で各辺のほぼ中間にそれぞれ結束紐用の着脱可能手段である切込み部４１、４１ａ、４１ｂ、４１ｃを備えた係止部である貫通孔５１，５１ａ、５１ｂ、５１ｃが設けられ、そして、前記板材の少なくとも一箇所以上の角部Ｃに前記結束紐の長さ調整用の係留部６０、６０ａ、６０ｂ、６０ｃが設けられた古紙結束用補助板である。ここで上記係留部６０、６０ａ、６０ｂ、６０ｃの形状は切り込み部、凹部、突起状物等又はそれらの組み合わせでも良く特にその形状にこだわるものではない。
【００１４】
上記請求項1、２、及び３も含めた使用法の例であるが、先ず、図３を例に採ると、熱可塑性樹脂で矩形の板材１１の長辺２１の係止部５１（ここでは貫通孔）に設けられた着脱可能手段４１(ここでは切り込み)に板材の上方（表面）から図１３の如く紐７０を結束すべき古紙Ｋの厚さ分の長さ足す約２０〜３０ｃｍの長さを余分に取って嵌め込む。可撓性と弾性を有する熱可塑性樹脂を使用していることにより簡単に嵌め込む事が可能である。そしてその板材の表面に沿って残った紐７０を反対側の長辺２１ａに持って行きその係止部５１の着脱可能手段４１ｂに同じようにして嵌め込む。
【００１５】
そして、次に図３の場合、即ち請求項３の場合は、結束紐の長さを調整する為の係留部６０、６０ａ、６０ｂ、６０ｃに適宜長さ分だけ軽く巻き付けるようにする。図１の場合は少し長めに紐を出しておき、図２の場合も少し長く出して係留部に引っ掛けておく。後は図３の場合と殆んど使用法は同じである。
【００１６】
次に、板材の短辺３１の下方（裏面）から上方（表面）に出るように紐７０を４１ａに嵌め込みそのまま表面に沿って反対側の短辺３１ａに持って行き、板材の上方（表面）から下方（裏面）に着脱可能手段４１ｃから係止部５１ｃに嵌め込む。ここで束ねる古紙の束Ｋの厚さ分と結び代の長さ２０〜３０ｃｍを足した所で紐を切っておいても良い。
【００１７】
そして、図２の平面図、図4のように、古紙の束Ｋをその板材１１に乗せ、図４のように係留部６１〜６１ｃに巻き付けて置いた紐７０を外して古紙の束Ｋの上方中央部あたりまで持ってくる。
【００１８】
次に図５の如く、最初に係止しておいた紐の端部７０ａを古紙の束Ｋの上方中央部あたりまで持ってきて前記巻きつけから開放した紐の下に通しておき、そして図６のように最後に係止した紐のもう一端部７０ｂを前記紐７０と最初の紐端部７０ａの上から掛けて下の方に出す。この紐７０は少し上下左右に動かすことによって外れるが、通常は古紙の束Ｋの重さで板材の下になっており、紐の端部７０ａ，７０ｂが跳ね上がったり捻れたりしてあらぬ方向に行ってしまったりする事は無い。
【００１９】
係止部から紐を外すタイミングは紐を締める前でも良いし、紐を紐の他の部分に絡ませる場合でもどちらでも良い。
【００２０】
そして、最初の紐の端部７０ａと最後の紐端部７０ｂを引き締めて結ぶと図７のように簡単に出来上がり、しかも下の板材１１は繰り返し使用可能で簡単に嵩張らずに収納出来る。
【００２１】
次に図８は本発明の実施例の請求項４に係る全体斜視図であり、矩形の板材１２の長辺２２と短辺３２のそれぞれの縁近辺で各辺のほぼ中間にそれぞれ結束紐用の着脱可能手段を備えた係止部が設けられ、そして、前記結束紐の長さ調整用で且つ収納可能な係留用腕部８０が、前記板材の少なくとも一箇所以上の角部又は辺に設けられた状態を表しており、この係留用腕部先端に係留部８１が設けられている。使用法は上記説明と同じであるので省略する。上記係留用腕部は図8で表されたような回動腕でも良いし、一体的に形成された折り畳み腕でも良い。
【００２２】
図９は本発明の実施例の請求項７に係る要部拡大斜視図であり、この場合は、前記係止部が各辺の縁近辺中間部に固着されたパイプ５４であり、前記着脱可能手段がパイプの軸線方向に設けられた切り込み４４である。
【００２３】
図１０は本発明の実施例の請求項８に係る要部拡大斜視図であり、この場合は、前記係止部及び着脱可能手段が各辺の縁近辺中間部に設けられた鉤状屈曲部５５である。
【００２４】
図１１は本発明の実施例の請求項９に係る要部拡大斜視図であり、この場合は、前記係止部が各辺の縁近辺中間部に設けられた突起部５６であり、着脱可能手段が突起部に設けられた切込み４６である。
【００２５】
又、係止部貫通孔が図１２のように割れ目状の貫通孔５７であっても良い。
【００２６】
又、ユーザーが使い易くする為に各係止部に番号を振る事や、板材表面に使用説明図を貼り付けたり描いたりすることも必要に応じて付加することは可能である。
【００２７】
尚図示されたものは本発明の請求の範囲のほんの一部の具体例であって、これによって定められる物ではない。
【図面の簡単な説明】
【００２８】
【図１】本発明の実施例の斜視図
【図２】本発明の他の実施例の斜視図
【図３】本発明の他の実施例の斜視図
【図４】図３の説明用平面図
【図５】図３の説明用平面図
【図６】図３の説明用平面図
【図７】本発明の使用実施例斜視図
【図８】本発明の他の実施例の斜視図
【図９】本発明の他の実施例の要部拡大斜視図
【図１０】本発明の他の実施例の要部拡大斜視図
【図１１】本発明の他の実施例の要部拡大斜視図
【図１２】本発明の他の実施例の要部拡大斜視図
【図１３】本発明の使用説明用要部拡大斜視図
【図１４】結束用紐の参考図
【図１５】従来図
【符号の説明】
【００２９】
１０、１１  板材
２０        長辺
３０        短辺
４０        着脱手段
５０        係止部
６０        係留部
７０        紐
８０        係留用腕部
Ｋ          古紙
【図１】
2006290441.tif 000003
【図２】
2006290441.tif 000004
【図３】
2006290441.tif 000005
【図４】
2006290441.tif 000006
【図５】
2006290441.tif 000007
【図６】
2006290441.tif 000008
【図７】
2006290441.tif 000009
【図８】
2006290441.tif 000010
【図９】
2006290441.tif 000011
【図１０】
2006290441.tif 000012
【図１１】
2006290441.tif 000013
【図１２】
2006290441.tif 000014
【図１３】
2006290441.tif 000015
【図１４】
2006290441.tif 000016
【図１５】
2006290441.tif 000017